(57)【要約】【課題】  ワタリにフロント部を着脱可能に装着することが出来、また装着したフロント部を跳ね上げることが出来るメガネの提供。【解決手段】  ワタリ２の中央には上方と正面が開口した受け部４を設け、この受け部４には水平軸１１を設け、一方、フロント部１の中央にはカギ型の取付け部７を設け、水平部１３及び垂直部１２には横溝１５と縦溝１４を形成すると共に両溝は連続している。水平部１３と垂直部１２のコーナーには開口１６を形成すると共に該開口１６は上記縦溝１４及び横溝１５に連通し、取付け部７を受け部４に嵌めると共に、上記溝には水平軸１１を遊嵌し、フロント部１を上下方向に旋回する際には水平軸１１をガイドとして横溝１５及び縦溝１４が移動することが出来る。【選択図】    図５
2018180502.tif 000002
【特許請求の範囲】
【請求項１】
フロントフレームにフロント部を着脱可能に装着することが出来、また装着したフロント部を跳ね上げることが出来るメガネにおいて、上記フロントフレームの中央には上方と正面が開口した箱型の受け部を設け、この受け部には両側板に掛架した水平軸を設け、一方、フロント部の中央には垂直部と水平部から成るカギ型の取付け部を設け、水平部及び垂直部には横溝と縦溝を形成すると共に両溝は連続し、そして水平部と垂直部のコーナーには開口を形成すると共に該開口は上記縦溝及び横溝に連通し、取付け部を箱型受け部に嵌めると共に、上記溝には水平軸を遊嵌し、フロント部を上下方向に旋回する際には水平軸をガイドとして横溝及び縦溝が移動することが出来るように構成したことを特徴とするフロント部の着脱機能を備えた跳ね上げ式メガネ。
【請求項２】
上記受け部をフロントフレームの両側部に取付け、又フロント部の両側部には取付け部を設けた請求項１記載のフロント部の着脱機能を備えた跳ね上げ式メガネ。
【請求項３】
上記受け部及び取付け部、若しくは受け部と取付け部の何れか一方に磁石を取付け、フロント部を跳ね上げた位置及びフロント部を下方に降ろした位置で磁石の吸引力で拘束するようにした請求項１、又は請求項２記載のフロント部の着脱機能を備えた跳ね上げ式メガネ。
【発明の詳細な説明】
【技術分野】
【０００１】
本発明はフロント部を着脱することが出来、しかも跳ね上げることが出来るメガネに関するものである。
【背景技術】
【０００２】
メガネの基本的な形態は、レンズを嵌めたフロント部と両ツルを有し、該ツルは折畳むことが出来るように構成している。しかし、近年ではこのような基本的なメガネではなく、必要に応じてフロント部を跳ね上げることが出来る、跳ね上げ式メガネが知られている。 例えば、老眼眼の場合、新聞や雑誌を読む時にはフトント部を降ろし、遠くを見る際には該フロント部を跳ね上げることが出来るようにしている。
【０００３】
逆に、近眼用のメガネでは、新聞や雑誌を読む際にはフロント部を跳ね上げ、遠くを見る場合にはフロント部を降ろして使用することが出来る。
一方、跳ね上げ式メガネでなく、フロント部を着脱可能に構成しているメガネも多用されている。すなわち、必要に応じて該フロント部を着脱することが出来、使い方としては跳ね上げ式メガネと同じである。
【０００４】
特開２０１５−２３２６８６号に係る「眼鏡フレームの跳ね上げ機構」は、磁石を用いた簡単な構成の跳ね上げ機構である。
すなわち、フレーム本体側に設けられた第一の磁着体と、眼鏡レンズ側に設けられ第一の磁着体に磁着する角形の第二の磁着体とを有し、第一の磁着体には、第二の磁着体との磁着状態を維持しつつ第二の磁着体を転動させる転動面が形成され、第二の磁着体が転動面上で転動することで、眼鏡レンズをフレーム本体に対して回動自在としている。      
【０００５】
特開２０１５−１４１４１２号に係る「二重枠タイプの眼鏡フロント枠」は、多様なレンズを選択できるだけでなく、レンズ交換を素人でも迅速かつ容易に行うことが出来、またレンズの脱落や横ズレ、フレーム重心の偏り、部材の紛失、外観の悪化等の問題が生じることもなく、しかも、購入コストや製造コストの面でも有利な二重枠タイプの眼鏡フロント枠である。
【０００６】
特開２０１６−１８１４０号に係る「メガネにおけるフロント枠取替え機構」は、 簡単な操作で迅速に着脱でき、かつ、着装されたフロント枠が堅固かつ安定して連結され、外れる心配がないメガネにおけるフロント枠取替え機構である。
また、特開２００１−４９５９号に係る「前掛け眼鏡の簡易安定着脱機構」は、前掛け眼鏡を常用眼鏡のブリッジ部材に安定に保持することができ、しかも、前掛け眼鏡の着脱操作を簡易に行うこともできる前掛け眼鏡の簡易安定着脱機構である。
【０００７】
【特許文献１】特開２０１５−２３２６８６号に係る「眼鏡フレームの跳ね上げ機構」
【特許文献２】特開２０１５−１４１４１２号に係る「二重枠タイプの眼鏡フロント枠」
【特許文献３】特開２０１６−１８１４０号に係る「メガネにおけるフロント枠取替え機構」
【特許文献４】特開２００１−４９５９号に係る「前掛け眼鏡の簡易安定着脱機構」
【発明の開示】
【発明が解決しようとする課題】
【０００８】
このように、フロント部を跳ね上げることが出来るメガネ、及びフロント部を着脱することが出来るメガネは知られているが、跳ね上げと着脱を兼ね備えたメガネではない。
ところで、フロント部が着脱出来ると共に跳ね上げ可能とする場合、着脱を優先するとフロント部の固定に安定性が不足し、跳ね上げを優先するならば着脱機能が損なわれることになる。
本発明はフロント部を跳ね上げすることが出来ると共に、着脱することも可能なメガネを提供する。
【課題を解決するための手段】
【０００９】
本発明に係るフロント部の着脱機能を備えた跳ね上げ式メガネは、フロント部を着脱出来、また、該フロント部を適度な角度に跳ね上げることが出来るように構成している。
そこで、フロント部を装着することが出来るフロントフレームを有し、フロントフレームの中央又は両側部には受け部を設け、該フロントフレームの両側には継手を介してツルが折畳み出来るように取付けられている。
フロント部は両レンズを有し、中央部又は両側部には取付け部を設けていて、該取付け部は上記フロントフレームに設けた受け部に係合して取付けられる。
【００１０】
ところで、上記受け部は正面と上面を開口した箱型で、両側板部には水平軸が掛架されている。一方の取付け部は水平部と垂直部を有す概略カギ型を成して上記箱型受け部に適度な摩擦を伴って嵌ることが出来るように、両側板部間の幅寸法としている。
すなわち、受け部に嵌った取付け部は両側板部にて挟まれ、自由に回転することが拘束される摩擦が作用する。
【００１１】
そして、取付け部の水平部には横溝が形成され、垂直部には縦溝を有し、該横溝と縦溝は互いに連続してコーナー部は切り欠かれて開口している。すなわち、開口から横溝が延びると共に縦溝が延びている。
受け部に嵌った取付け部は水平軸をガイドとして回転・揺動し、フロント部を上下方向に旋回することが出来るように成っている。
【発明の効果】
【００１２】
本発明に係るメガネのフロント部はフロントフレームに設けた受け部に取付けられ、また取り外すことができ、老眼鏡、サングラス、ルーペなど、色々な機能を備えたフロント部を取付け出来る。
そして、受け部に取り付けたフロント部は跳ね上げることができる。すなわち、受け部に設けている水平軸はフロント部の取付け部に形成した開口から溝に嵌ることができる。取付け部は水平部と垂直部を有すカギ型をなし、両溝は水平部から垂直部にかけて連続して形成され、水平部と垂直部のコーナーには両溝に通じる開口を有していることで、該開口から水平軸に嵌ることが出来る。
【００１３】
したがって、開口に水平軸が位置している場合に限りフロント部を取外すことが出来るが、それ以外の位置ではフロント部が受け部から外れることはない。また、取付け部は箱型受け部に嵌って両側板部に挟まれる為に拘束されて適度な摩擦が発生して、跳ね上げられたフロント部が降下することはない。
勿論、フロント部が横ズレを生じることはなく安定して取付けられ、特にフロント部は中央部に設けた小さい取付け部を介してフロントフレームに装着されることで、該フロント部のデザインの自由度が邪魔されることがない。
【図面の簡単な説明】
【００１４】
【図１】フロント部が着脱出来ると共に跳ね上げるようにした本発明に係るメガネの実施例。
【図２】フロント部が取外された場合の本発明に係るメガネ。
【図３】ワタリに取付けられる受け部を示す具体例。
【図４】フロント部に取着される取付け部を示す具体例。
【図５】（ａ）は受け部と取付け部が分離している場合、（ｂ）は取付け部を受け部に取付ける場合、（ｃ）は取付け部の縦溝下端に水平軸が位置している場合、（ｄ）は取付け部の横溝先端に水平軸が位置している場合。
【図６】（ａ）はフロント部の装着前の状態、（ｂ）はフロント部を装着した状態、（ｃ）は装着したフロント部が旋回して下向き状態とした場合、（ｄ）はフロント部を旋回して跳ね上げた状態。
【図７】フロント部が着脱出来ると共に跳ね上げるようにした本発明に係るメガネを示す他の実施例。
【発明を実施するための形態】
【００１５】
図１は本発明に係るフロント部の着脱機能を備えた跳ね上げ式メガネを示す実施例であり、同図の１はフロント部、２はフロントフレームを構成するワタリ、３はツル（テンプル）をそれぞれ表わしている。上記フロント部１はワタリ２に設けた受け部４に取付けられているが、取外すことが出来るように構成し、しかも該フロント部１は旋回して跳ね上げることも出来る。
この実施例では、フロントフレームの１形態として左右に延びる１本のワタリ２を用いているが、該ワタリ２に限定するものではない。
【００１６】
図２はフロント部１を取外した状態を表している。ワタリ２の中央部には箱型をした受け部４が設けられ、またワタリ２の中央部には鼻当てパット５，５が対を成して取付けられている。そして、ワタリ２の両先端には継手６，６を介してツル３，３が折畳み出来るように取付けられている。
ところで、フロント部１の中央背面側には取付け部７が設けられ、この取付け部７が上記受け部４に嵌合することでフロント部１はワタリ２に取付けられる。
【００１７】
図３は受け部４を単独で表わしている具体例であり、該受け部４は正面側と上面側を開口した箱型をなし、両側板部８，８と下板９及び背板１０を設けている。そして両側板部８，８の間には水平軸１１が掛架されてワタリ２の中央部に取付けられている。
そして、図４は取付け部７を表している具体例であり、該取付け部７は同図に示しているように、概略カギ型をなして垂直部１２と水平部１３を有している。
【００１８】
垂直部１２には縦溝１４が設けられ、水平部１３には横溝１５を有し、該縦溝１４と横溝１５は繋がっていて、垂直部１２と水平部１３のコーナーには縦溝１４及び横溝１５に連通する開口１６が形成されている。
ここで、取付け部７の幅寸法Ｍは上記受け部の両側板部の内幅Ｍとほぼ同じ寸法を有し、該取付け部７は両側板部８，８との間で所定の接触力が働いて嵌ることが出来る。そして、受け部４に設けている水平軸１１は取付け部７の開口１６から嵌って、縦溝１４及び横溝１５を移動することが出来る。
【００１９】
図５は受け部４の空間１７に取付け部７が嵌合し、該取付け部７が回転（揺動）する際の水平軸１１に縦溝１４及び横溝１５に沿って移動する状態を断面図にて表している。ここで、受け部４はワタリ２に取付けられ、取付け部７はフロント部１に取付けられているが、ワタリ２及びフロント部１は省略している。
図５（ａ）は受け部４と取付け部７が分離している場合で、フロント部１を取付ける前の状態を示している。
【００２０】
図５（ｂ）は取付け部７を受け部４に取付ける為に回転して傾け、開口１６に水平軸１１が位置するように配置している状態であり、フロント部１を受け部４に取付ける場合を示している。
図５（ｃ）は取付け部７が受け部４に嵌り、縦溝１４の下端に水平軸１１が嵌っている場合で、取付けたフロント部１を旋回して降ろした状態である。
【００２１】
図５（ｄ）はフロント部１を跳ね上げた状態で、水平軸１１は横溝１５の先端に位置している。
このように開口１６から挿通した水平軸１１は、フロント部１と共に回転・揺動する取付け部７の動きに伴って、横溝１５及び縦溝１４を移動することが出来る。この際、取付け部７は受け部４の両側板部８，８に挟まれることで摩擦力が働き、図５の（ｃ）、（ｄ）の状態が拘束される。
【００２２】
勿論、ワタリ２に取着している受け部４の水平軸１１は動くことなく定位置にあることから、水平軸１１をガイドとして縦溝１４及び横溝１５が移動する。そして、フロント部１を取外す場合には、図５（ｂ）に示すように開口１６を水平軸１１に位置させて該開口１６から水平軸１１が離脱することでフロント部１は外される。
【００２３】
図６はフロント部１をワタリ２の受け部４に取付け、そしてフロント部１を上下方向に揺動する場合を示している。
図６（ａ）はフロント部１を装着する前の状態で、図５（ａ）に示す位置関係にある。フロント部１には取付け部７が取着され、ワタリ２には受け部４が取付けられている。
【００２４】
図６（ｂ）はフロント部１を受け部４に取付ける場合である。すなわち、受け部４に取付け部７が係合し、水平軸１１が取付け部７の開口１６に位置している状態を示している。
図６（ｃ）はフロント部１が旋回して下方に降下している場合で、図５（ｃ）に示す位置関係にある。
図６（ｄ）はフロント部１が旋回して跳ね上げられた場合で、図５（ｄ）に示す位置関係にある。
【００２５】
ところで、取付け部７は受け部４の空間１７に嵌り、フロント部１の旋回に伴って取付け部７が揺動することで、該取付け部７に設けている縦溝１４及び横溝１５は水平軸１１をガイドとして移動する。該取付け部７は受け部４に嵌ると共に両側板部８，８に挟まれることで、跳ね上げられたフロント部１が自重にて降下することはない。また、縦溝１４及び横溝１５に嵌った水平軸１１が挟まれることでフロント部１は所定の角度に拘束することも出来る。
【００２６】
一方、受け部４の背板１０に磁石を取付け、また取付け部７の垂直部１２と水平部１３にも磁石を取付け、図５（ｃ）の状態に取付け部７が位置した場合、及び図５（ｄ）の状態に取付け部７が位置した場合に該磁石の吸引力にて固定することが出来るようにすることも出来る。
ただし、受け部４又は取付け部７の何れかがスチールなどで構成した磁性体であれば、他方の何れかに磁石を取付ければよい。
【００２７】
ところで、上記実施例ではワタリ２の中央部に受け部４を取付け、フロント部１の中央部に取付け部７を設けている場合である。ただし、本発明に係るフロント部の着脱機能を備えた跳ね上げ式メガネは、該実施例の場合に限定せず、ワタリ２の両側部に受け部４，４を備え、フロント部１の両側部に取付け部７，７を設けて構成することも出来る。図７はこの場合のメガネを構成した実施例を表している。
【００２８】
基本的な構造は前記実施例の場合と同じであり、ワタリ２に備えた受け部４の位置及びフロント部１に設けている取付け部７の位置が異なるだけである。したがって、受け部４は上方と正面が開口した箱型を成し、その両側板部８，８には水平軸１１を掛架した構造で、前記図３に示した場合と共通している。
また、取付け部７は垂直部１２と水平部１３から成るカギ型を成し、該水平部１３及び垂直部１２には横溝１５と縦溝１４を形成すると共に両溝は連続し、水平部１３と垂直部１２のコーナーには開口１６を形成すると共に該開口１６は上記縦溝１４及び横溝１５に連通している。
【００２９】
フロント部１はその両側部に取付けた取付け部７，７がワタリ２の両側部に設けた受け部４，４の水平軸１１をガイドとして安定して回転することで旋回し、上方へ跳ね上げられる。跳ね上げられるフロント部１は、その両側部に取付けた取付け部７，７にて支持されることで、跳ね上げる際に取付け部７，７に捩れを生じることはなく、その為に跳ね上げ機能がガタ付くことなく、何時までも安定して跳ね上げることが出来る。
【符号の説明】
【００３０】
１   フロント部
２   ワタリ
３   ツル
４   受け部
５   鼻当てパット
６   継手
７   取付け部
８   側板部
９   下板
10   背板
11   水平軸
12   垂直部
13   水平部
14   縦溝
15   横溝
16   開口
17   空間
【図１】
2018180502.tif 000003
【図２】
2018180502.tif 000004
【図３】
2018180502.tif 000005
【図４】
2018180502.tif 000006
【図５】
2018180502.tif 000007
【図６】
2018180502.tif 000008
【図７】
2018180502.tif 000009